(57)【特許請求の範囲】
【請求項１】
バンカー用の内張アセンブリにおいて、前記バンカーは、周辺部を具える空洞と、前記空洞内の基部と、前記空洞内に配置され露出した充填材とを具え、前記内張アセンブリは：前記基部と前記充填材との間に配置される保持層を具え、当該保持層は前記充填材によって覆われてほぼ露出されず、前記保持層は、複数の間隔を空けた突起部を具えており、前記充填材が、前記突起部の間のスペースを少なくとも部分的に満たしており、
さらに、前記内張アセンブリが、前記保持層と前記基部との間に少なくとも部分的に配置される別の透水性の第１の支持層を具えることを特徴とする内張アセンブリ。
【請求項２】
請求項１に記載の内張アセンブリにおいて、前記保持層は、前記基部と前記充填材の間の水の移動を防ぐために実質的に不透水性であることを特徴とする内張アセンブリ。
【請求項３】
請求項１に記載の内張アセンブリにおいて、前記保持層は、前記基部と前記充填材の間の水の移動を可能にするために実質的に透水性であることを特徴とする内張アセンブリ。
【請求項４】
請求項１に記載の内張アセンブリにおいて、前記保持層が、前記突起部を支持する保持層基板を具え、前記保持層基板の少なくとも一部が前記基部に直に接触することを特徴とする内張アセンブリ。
【請求項５】
請求項１に記載の内張アセンブリにおいて、前記突起部が実質的にプラスチック材料で作られることを特徴とする内張アセンブリ。
【請求項６】
請求項１に記載の内張アセンブリにおいて、前記保持層が、少なくとも部分的に人工芝で作られることを特徴とする内張アセンブリ。
【請求項７】
請求項１に記載の内張アセンブリがさらに、前記第１の支持層と前記保持層との間に少なくとも部分的に配置され、液体が塗られた実質的に不透水性の第２の支持層を具えることを特徴とする内張アセンブリ。
【請求項８】
請求項１に記載の内張アセンブリにおいて、前記保持層の少なくとも一部が、水平に対して少なくとも１０度の角度で前記空洞内に配置されることを特徴とする内張アセンブリ。
【請求項９】
請求項１に記載の内張アセンブリにおいて、前記充填材が砂であることを特徴とする内張アセンブリ。
【請求項１０】
バンカー用の内張アセンブリにおいて、前記バンカーは、周辺部を具える空洞と、前記空洞内の基部と、前記空洞内に配置され露出した充填材とを具え、前記内張アセンブリは：前記基部と前記充填材との間に配置される保持層を具え、当該保持層は前記充填材によって覆われてほぼ露出されず、前記保持層は、少なくとも部分的に人工芝材料で作られており、
さらに、前記内張アセンブリが、前記保持層と前記基部との間に少なくとも部分的に配置される透水性の第１の支持層を具えることを特徴とする内張アセンブリ。
【請求項１１】
請求項１０に記載の内張アセンブリにおいて、前記保持層は、前記基部と前記充填材の間の水の移動を防ぐために実質的に不透水性であることを特徴とする内張アセンブリ。
【請求項１２】
請求項１０に記載の内張アセンブリにおいて、前記保持層は、前記基部と前記充填材の間の水の移動を可能にするために実質的に透水性であることを特徴とする内張アセンブリ。
【請求項１３】
請求項１０に記載の内張アセンブリにおいて、前記保持層の少なくとも一部が、前記基部に直に接触することを特徴とする内張アセンブリ。
【請求項１４】
請求項１０に記載の内張アセンブリにおいて、前記保持層の前記人工芝材料が地盤用シート(geotextile)材に少なくとも部分的に固定されることを特徴とする内張アセンブリ。
【請求項１５】
請求項１０に記載の内張アセンブリにおいて、前記保持層が実質的にプラスチック材料で作られることを特徴とする内張アセンブリ。
【請求項１６】
請求項１０に記載の内張アセンブリにおいて、前記保持層の少なくとも一部が、前記空洞の周辺部近くに配置されることを特徴とする内張アセンブリ。
【請求項１７】
請求項１０に記載の内張アセンブリがさらに、前記第１の支持層と前記保持層との間に少なくとも部分的に配置される第２の支持層を具えることを特徴とする内張アセンブリ。
【請求項１８】
請求項１７に記載の内張アセンブリにおいて、前記第１の支持層が透水性であり、前記第２の支持層が実質的に不透水性であることを特徴とする内張アセンブリ。
【請求項１９】
請求項１７に記載の内張アセンブリにおいて、前記第２の支持層が、液体が塗られたもので構成されることを特徴とする内張アセンブリ。
【請求項２０】
請求項１０に記載の内張アセンブリにおいて、前記保持層の少なくとも一部が、水平に対して少なくとも１０度の角度で前記空洞内に配置されることを特徴とする内張アセンブリ。
【請求項２１】
請求項１０に記載の内張アセンブリにおいて、前記充填材が砂であることを特徴とする内張アセンブリ。
【請求項２２】
バンカーの空洞を内張する方法において、当該方法が：
前記空洞を形成する基部の上に、透水性の第１の支持層の少なくとも一部を配置するステップと；
前記第１の支持層の上に、保持層の少なくとも一部を配置するステップと；
前記保持層が充填材によってほぼ覆われるように、前記保持層の上に、露出した充填材を配置するステップと；
を具えており、
前記保持層が、間隔を空けてほぼ直立した複数の突起部を具え、
前記充填材が前記複数の突起部間の空間を少なくとも部分的に満たす
ことを特徴とする方法。
【請求項２３】
請求項２２に記載の方法において、前記充填材が砂であることを特徴とする方法。
【請求項２４】
請求項２２に記載の方法において、前記提供するステップが、前記保持層を少なくとも部分的に合成芝材料で作るステップを具えることを特徴とする方法。
【請求項２５】
請求項２２に記載の方法において、前記保持層の少なくとも一部を配置するステップが、前記空洞の前記基部に直に接触させて前記保持層の少なくとも一部を配置するステップを具えることを特徴とする方法。
【請求項２６】
請求項４に記載の内張アセンブリにおいて、前記保持層基板が、地盤用シート(geotextile)材及びゴム引きマットから成る群のうちの一方で作られることを特徴とする内張アセンブリ。
【請求項２７】
請求項１０に記載の内張アセンブリにおいて、前記保持層が、突起部を支持する保持層基板を有しており、前記保持層基板の少なくとも一部が前記基部に直に接触しており、前記保持層基板が、地盤用シート(geotextile)材及びゴム引きマットから成る群のうちの一方で作られることを特徴とする内張アセンブリ。
【発明の詳細な説明】
【背景技術】
【０００１】
関連出願
本出願は、発明者Ｋｅｖｉｎ  Ｌ．Ｃｌａｒｋによる標題「ＬＩＮＥＲ ＡＳＳＥＭＢＬＹ ＦＯＲ Ａ ＳＡＮＤ ＴＲＡＰ」、代理人事件記録番号３００２３．０２、２００６年５月３１日に出願された米国仮特許出願シリアル番号６０／８０９，５６４、及び２００７年５月３０日に出願された米国非仮特許出願による利益を主張し、この全体の内容を許される範囲で参照によってここに明確に組み込む。
【０００２】
ゴルフの技術は急速に進展している。装具が改良され、プレーヤは、今までよりも遠く、正確にゴルフボールを打つことができるようになった。現代のゴルフ技術に対応しようとする試みにおいて、新しいゴルフコースが作られ、古いコースは難易度を高めるように修復される。この行為によって、バンカーの数や大きさは増加している。
【０００３】
不利なことに、バンカーはかなり多くのメンテナンスや手入れを必要とする。例えば、バンカーはしばしば、芝生や低木、他の植物がある近くに配置されるので、これらの植物が成長するとバンカー内へ広がるかもしれず、ある種のゴルフコースでは望ましくない。さらに、バンカーは、降水および／または灌漑水を保持し、バンカー内の水をゆっくりと排水するおよび／またはせき止める。これらの種類の状態は、ゴルファーをいらだたせるか、打てない状況さえもたらし、共にゴルフコースの所有者に経済的損失をもたらしうる。
【発明の概要】
【課題を解決するための手段】
【０００４】
本発明は、バンカー用内張アセンブリに向けられている。バンカーは、（ｉ）周辺部を具える空洞と、（ｉｉ）空洞内の基部と、（ｉｉｉ）空洞内に配置され露出した充填材、すなわち、砂、石英などとを具える。一実施例において、内張アセンブリは、基部と充填材との間に配置された保持層を具える。保持層は充填材によって覆われており、保持層はほぼ露出しない。保持層は、複数の間隔を空けた突起部を具える。ある実施例において、充填材は、これらの突起部の間のスペースを少なくとも部分的に充たす。
【０００５】
一実施例において、保持層は基部と充填材との間の水の移動を防ぐために実質的に不透水性である。保持層は突起部を支持する基板を具える。この実施例において、基板は基部に直に接触する。ある実施例において、空洞は空洞表面領域を具え、保持層は、少なくともおよそ大部分の空洞表面領域を覆う。
【０００６】
突起部は、実質的にプラスチック材料で作ることができる。追加的に、又は代替的に、保持層は、少なくとも部分的に人工芝材料で作ることができる。別の実施例において、内張アセンブリは、さらに、保持層と基部の間に少なくとも部分的に配置される透水性の第１の支持層を具える。さらに別の実施例では、内張アセンブリ層はさらに、第１の支持層と保持層との間に少なくとも部分的に配置され、液体を適用した実質的に不透水性の第２の支持層を具える。いくつかの実施例において、保持層の少なくとも一部は、水平に対して少なくとも１０度の角度で空洞内に配置される。
【０００７】
また、本発明は、バンカーの空洞を内張する一又はそれ以上の方法を具える。
【図面の簡単な説明】
【０００８】
本発明の新しい特性と本発明自体は、この構造及びこの使用の両方において、添付した図面と以下の記述とを合わせて最良に理解しうるものであり、同じ参照符号は同じ部品を示す。
【図１】図１は、本発明の特性を具えるバンカーの斜視図である。
【図２】図２は、バンカーの一部の斜視図である。
【図３Ａ】図３Ａは、図１のライン３−３のバンカーの断面図であり、本発明の特性を具える内張アセンブリの第１の実施例を示す。
【図３Ｂ】図３Ｂは、内張アセンブリの保持層の一の実施例の一部の簡素化した拡大側面図である。
【図４】図４は、内張アセンブリの第２の実施例を具えるバンカーの断面図である。
【図５】図５は、内張アセンブリの第３の実施例を具えるバンカーの断面図である。
【図６】図６は、内張アセンブリの第４の実施例を具えるバンカーの断面図である。
【発明を実施するための形態】
【０００９】
図１は、本発明の特性を具えるバンカー１０の斜視図である。ここに示されたバンカー１０は、非排他的な実施例として、どんな種類のゴルフコース又はどんな大きさの公的もしくは私的なゴルフ練習施設にも使用できる。図１に示したバンカー１０は、バンカー１０の空洞１３を規定する周辺部１２を具え、地面１４内へ掘り入れることができる。バンカー１０の周辺部１２は、バンカー１０の全体の形又は構成（足跡としても知られる）を規定する。図１に示されているバンカー１０の足跡は、当業者に知られる無数に可能な足跡のほんの一例に過ぎず、代表的な例としてのみ示している。
【００１０】
本実施例において、地面１４は、芝生や任意の他の種類の草木にすることができる。代替的に、地面１４は、土、岩、又は他の種類の非植物性材料を含むことができる。本実施例において、バンカー１０は地面１４内へ掘り入れられるので、ほとんど又は全てのバンカー１０は、ほぼ地面１４の高さか又はそれより下に配置されるが、これは必要条件ではない。また、バンカー１０は、充填材１６（例えば、砂、石英、破砕花こう岩、又は他の同様の材料であり、時々、ここで「砂」と呼ぶ）と、その土地固有の材料か別の場所から運ばれた材料にできる基部１８とを具える。基部１８は、一又はそれ以上の異なる種類の土、岩、および／または他の好適な材料を含むことができる。
【００１１】
図２は、本発明の特性を具えるバンカー２１０の一部の概略図である。この実施例において、バンカー２１０は、充填材１６（図１に示す）と、基部１８（図１に示す）と、周辺部２１２と、排水システム２２０と、内張アセンブリ２２２とを具える。図２に示した実施例において、充填材１６は、排水システム２２０及び内張アセンブリ２２２の部分を示すために省略されている。排水システム２２０は、排水出口２２５と、一又はそれ以上の内部の排水ライン２２４Ｉと、一又はそれ以上の周辺の排水ライン２２４Ｐとを具える複数の相互に連結した排水ラインを具える。図２に示した排水ライン２２４Ｉ、２２４Ｐは排水網の一例に過ぎず、無数の可能な構成が本発明の目的を満足させるために使用することができると認識される。
【００１２】
この実施例において、周辺の排水ライン２２４Ｐは、バンカー２１０の周辺部２１２にほぼ沿って又は近くに配置される。内部の排水ライン２２４Ｉは、バンカー２１０の内部へ向けて、すなわち、バンカー２１０の中間領域へ向けて配置され、例えば、周辺部２１２から内側に延在する。一般的に、バンカー２１０の周辺部２１２は、水平面に対して最大角度の傾斜を具えるように構成されている。周辺部２１２の傾斜は、通常、灌漑水又は降水を内部、バンカー２１０の傾斜の小さい領域へ向けて下へ移動させ、水は移動および／または浸透して池を作る。しかしながら、ここに十分に記述するように、水が、従来のバンカーより早く排水システム２２０によって排水されることによって、周辺の排水ライン２２４Ｐは単独で又は内張アセンブリ２２２と連結して、この水の移動を防ぐことができる。
【００１３】
図３Ａは、図１のライン３−３によるバンカー３１０の一実施例及び地面３１４の一部の断面図である。本実施例において、バンカー３１０は、充填材３１６と、基部３１８と、排水システム３２０と、内張アセンブリ３２２とを具える。一実施例において、充填材３１６は、バンカー３１０の長さおよび／または幅に沿って比較的均一な深さ３２３を有している。例えば、充填材３１６は、約２乃至８インチの間の均一な深さ３２３を有することができるが、深さ３２３はこの範囲より上又は下にすることができる。代替的な実施例において、充填材３１６の深さ３２３はバンカー３１０内で変えることができる。
【００１４】
基部３１８は、バンカー３１０の底部および／または側部の材料である。基部３１８は、内張アセンブリ３２２を支持し、例えば、これより下に配置される。図３Ａに示される実施例において、基部３１８は内張アセンブリ３２２と直に接触する。基部３１８は、任意の種類の土地固有又は運んだ土、有機物、異なる種類の骨材、様々な大きさや種類の岩、又はバンカー３１０の内容物以外の部分に適切な基部３１８を形成する任意の他の材料を含む任意の好適な材料で作ることができる。
【００１５】
一実施例において、基部３１８は、空洞１３を形成するために自然の土地の材料を切り開くか、そうでなければ取り除くことによって形成される（図１に示す）。本実施例において、基部３１８は、空洞１３を形成するために材料を取り除いた後に残る材料、すなわち、土、岩などである。代替的な実施例において、既知の土壌改良、一定の骨材、又は他の材料を空洞１３に追加して基部３１８を形成するか、自然の材料と組み合わせて基部３１８を形成することができる。さらに別の実施例において、材料は、所望される空洞１３の形状を形成するように作られる。さらに、後述するように残りの材料に比較的堅い基部を形成するように基部３１８を圧縮することができる。
【００１６】
排水システム３２０は、通常、ランドスケープの排水に使用される１又はそれ以上の排水ライン３２４の網構造を具える。例えば、排水ライン３２４は、パイプを囲む土壌繊維(geofabric)又はいくつか他の種類のスリーブを具えて又は具えずに、多孔性ポリ塩化ビニル（ＰＶＣ）パイプを具えることができる。代替的に、他の好適な種類の排水ライン３２４又は地域排水を本発明に使用することができる。一実施例において、排水ライン３２４は、破砕された又は自然の岩、砂、又は他の種類の好適な自然もしくは合成材料などの排水周囲部３２６によって少なくとも部分的に囲まれる。ある実施例において、排水ライン３２４は、排水出口２２５（図２に示す）、排水路又はブロー溝（brow ditch）もしくは排出された流体をバンカー３１０内の充填材３１６から運ぶ下水道（図示せず）に連結することができる。
【００１７】
内張アセンブリ３２２の構成は、バンカー３１０の構成条件に依存して変えることができる。ある実施例において、内張アセンブリ３２２は、充填材３１６の少なくとも一部が配置されている基部を提供することができる。さらに、内張アセンブリ３２２は、充填材３１６がバンカー３１０内の低い場所に滑ることを防ぐことができる。例えば、バンカー３１０の傾斜した領域では、内張アセンブリ３２２は、十分な摩擦特性を有する構造を提供し、砂は重力に反し、従って、バンカー３１０の周辺部３１２近くなどバンカー３１０の傾斜部に残ることができる。
【００１８】
図３Ａに示す実施例において、内張アセンブリ３２２は、バンカー３１０全体の底部及び側部にほぼ沿って延在する。本実施例において、内張アセンブリ３２２は、基部３１８に隣接して配置される。別の言い方をすれば、内張アセンブリ３２２は、充填材３１６によってほぼ覆われており、内張アセンブリ３２２はほぼ露出せず、従って、ゴルファーに見えることはない。図３Ａに示される実施例において、内張アセンブリ３２２は、基部３１８と充填材３１６との間に直接又は間接的に配置されている。
【００１９】
さらに、後述するように、使用される材料及び設置方法によって内張アセンブリ３２２は、水平３００に対して０度よりかなり大きい様々な角度３２８に取り付けることができる。例えば、一実施例において、内張アセンブリ３２２の角度３２８は、水平３００に対して少なくとも約４５度である。非排他的な、代替の実施例において、内張アセンブリ３２２の角度３２８は、水平３００に対して少なくとも約１、２、５、１０、１５、２０、３０、６０、又は７５度である。さらなる実施例において、内張アセンブリ３２２の角度３２８は、水平３００に対して少なくとも約９０度である。後述するように、この構成では、バンカー３１０の大きい角度（水平３００に対して）部分に関わらず、内張アセンブリ３２２は、砂３１６がバンカー３１０の低い場所に滑り落ちることを防ぐことができる。
【００２０】
ある実施例において、内張アセンブリ３２２は、充填材３１６の一部を保持および／または支持して充填材３１６がバンカー３１０内へ下に滑り落ちることを防ぐ保持層３２９を具える。図３Ａに示す実施例において、保持層３２９は、基部３１８と直に接触する。一実施例において、保持層３２９は少なくとも部分的に、合成材料、例えばポリエチレンおよび／またはポリプロピレンなどのプラスチックで作られ、合成芝材料、人工芝、人工の草、又は合成芝領域（「人工芝」と包括して後述する）といくらか似ているか同じように見える。代替的な実施例において、保持層３２９の合成材料は、他の種類のプラスチック又はここに記述する内張アセンブリ３２２の目的に一致する任意の他の好適な材料で作ることができる。保持層３２９は、バンカー３１０の条件に適するように不透水性又は透水性にすることができる。
【００２１】
別の実施例において、保持層３２９は、また、地盤用シート(geotextile)の繊維材やゴム引きマット、合成材料に接着又はそうでなければ固定される別の好適な材料などの保持層基板３３２（図３Ｂに示す）を具える。さらに、一実施例において、保持層３２９の保持層基板３３２は、実質的に不透水性か液体の浸透を防ぐ材料を使用して密閉することができる。この構成によって、地面の水や他の液体は、基部３１８から又は基部３１８を介して充填材３１６内へ浸透することが少ない。さらに、液体は内張アセンブリ３２２を介して充填材３１６をぬらすことを抑制されるので、内張アセンブリ３２２は、降水および／または灌漑流体などの液体を排水システム３２０内へ直接又は間接的に向けるか迂回させることができる。代替的に、保持層基板３３２は、水又は他の液体が充填材３１６と基部３１８の間、すなわち保持層３２９を介して移動することができるように透水性にすることができる。
【００２２】
製造の際、内張アセンブリ３２２が裂ける可能性を減らすために、地盤用シート繊維を繊維に適用される接着剤とともに使用して内張アセンブリ３２２のすべての継ぎ目を互いに接着させることができる。
【００２３】
上記に加えて、内張アセンブリ３２２は、バンカー３１０内で植物や潅木、低木、芝生、他の植物が育つことを抑制する。さらに、内張アセンブリ３２２は、充填材３１６の完全性を維持することができ、および／または充填材３１６の基部３１８の浸出や移動を抑制することができる。さらに、又は代替的に、内張アセンブリ３２２は、バンカー３１０から早く水を排出するために、水を排水システム３２０へ向けるおよび／または迂回させることができる。
【００２４】
図３Ｂは、保持層３２９の一実施例の一部の拡大側面図である。本実施例において、保持層は、複数の間隔を空けた突起部３３０と、保持層基板３３２とを具える。突起部３３０は、保持層基板３３２に固定され、ここから延在している。一実施例において、突起部３３０は、大きさおよび／または形で芝生や芝地の葉に近づけることができる。代替的に、突起部３３０は、芝生や芝地の葉とやや異なる大きさや形にすることができる。非排他的な代替の実施例において、突起部３３０は、ほぼ円筒形、円錐形、截頭円錐形、螺旋形、又はピラミッド状にすることができる。さらに代替的に、突起部３３０は、任意の他の好適な形状にすることができる。
【００２５】
突起部３３０は、約１乃至５ｃｍの高さ３３４をそれぞれ有する。代替的に、突起部３３０の高さ３３４は、高さ３３４のこの範囲より大きく又は小さくすることができる。さらに、得られる保持層３２９内の突起部３３０は、高さ３３４でほぼ均一にすることができる。代替的に、突起部３３０の高さ３３４は、特定の保持層３２９内で変えることができる。一実施例において、突起部３３０の高さ３３４は、周辺部３１２（図３Ａに示す）近くの水平３００（図３Ａに示す）に対する保持層３２９の角度、又はより大きいかより小さい高さ３３４を必要としうる他の関連要因を含むバンカー３１０（図３Ａに示す）内の保持層３２９の位置に依存して変化する。
【００２６】
代替の実施例において、保持層３２９は、多様な高さ３３４を具える突起部３３０を散在させることができる。代替的に又は追加的に、保持層３２９は、２又はそれ以上の異なる形の突起部３３０を有することができる。図３Ｂに示した実施例において、保持層３２９は、複数の円筒形の突起部３３０と一緒又は分かれて散在している複数の螺旋形の突起部３３０を具える。異なる形および／または大きさの突起部３３０を使用することによって、第１の形を有する一の突起部３３０は、異なる形の別の突起部３３０を支持することができ、これらの突起部３３０が平らになって、バンカー３１０の角度を付けた範囲において保持層３２９の充填材３１６（図３Ａに示す）を支持する能力を減らしうることを防ぐことができる。この実施例で確認されるこれらの突起部３３０の形は、理解しやすくするためにのみ提供されており、保持層３２９において使用することができる突起部３３０の形の範囲を制限することを意図するものではない。
【００２７】
さらに、保持層３２９のいくつかの非排他的な実施例は、織られた又は織られていない繊維状構造か繊維状構造ではない製品を具える。ある実施例において、バンカー３１０の基部３１８（図３Ａに示す）に対して上方向又は外方向に延在する突起部３３０を具えることによって、例えば、充填材３１６の一部を保持層３２９の突起部３３０の間のスペース３３６又は間隙に配置することができ、これによって、バンカー３１０の比較的急勾配の場所でさえ、充填材３１６の過度の重力運動に反することができる。
【００２８】
別の実施例において、突起部３３０は、充填材３１６の保持層３２９への付着を促進することができる接着剤（図示せず）で覆うことができる。ここに提供された構成によって、保持層３２９は充填材３１６によって覆われた状態であり、保持層３２９は日光や他の要因に露出されずゴルファーに見られることがない。
【００２９】
図４は、バンカー４１０の一部の別の実施例の断面図を示す。本実施例において、内張アセンブリ４２２は、基部４１８に直接配置されているが、バンカー４１０内の基部の一部を覆っているだけである。この構成によって、より小さい平方フィートのこれらの材料を得られるバンカー４１０内で使用するので、内張アセンブリ４２２を形成する材料の費用を減らすことができる。別の言い方をすると、バンカー４１０の面積の内張アセンブリ４２２の面積に対する割合は、１：１より大きい。非排他的な代替の実施例において、バンカー４１０の面積の内張アセンブリ４２２の面積に対する割合は、少なくとも約２：１、３：１、４：１、５：１、１０：１、２０：１、５０：１、又は１００：１である。
【００３０】
別の実施例において、内張アセンブリ４２２の基部４１８の表面を覆う延在部は変えることができる。例えば、一実施例において、内張アセンブリ４２２は、基部４１８の表面積の少なくとも約２％を覆う。非排他的な代替の実施例において、内張アセンブリ４２２は、基部４１８の表面積の少なくとも約５％、１０％、２５％、５０％、７５％、又は９０％（又は図３Ａに示すように１００％）を覆う。
【００３１】
一実施例において、内張アセンブリ４２２は、最も必要とされる場所、例えば、バンカー４１０の最急傾斜の領域か又は近くに配置される。ある非排他的な実施例において、内張アセンブリ４２２は、バンカーの傾斜が、約１％、２％、５％、１０％、２０％、３０％、４５％、６０％、又は７５％を超える場所のどこにでも配置される。別の実施例において、内張アセンブリ４２２は、バンカー４１０の空洞１３（図１に示す）の周辺部４１２および／または近くに配置される。一の特定の実施例において、内張アセンブリ４２２は、空洞１３の周辺部４１２の約２フィート以下にある領域に配置される。代替的に又は追加的に、内張アセンブリ４２２は、代替的に、周辺部４１２から２フィートより離れた領域に配置することができる。
【００３２】
図５は、バンカー５１０の一部の別の実施例の断面図である。本実施例において、内張アセンブリ５２２は、保持層５２９と、第１の支持層５３８とを具える。第１の支持層５３８は、少なくとも部分的に透水性の繊維材料で作られる。一の非排他的な実施例において、第１の支持層５３８は、地盤用シートなどの土壌合成材又は例えば、生物学的分解に耐性のある任意の他の好適な材料から作るか、具えることができる。代替的に、第１の支持層５３８は、必要に応じて生物学的分解に耐性のない別の種類の材料を使用して作ることができる。
【００３３】
第１の支持層５３８に使用することができる一の例示的な材料には、Ｍｉｒａｆｉ（登録商標）Ｆｉｌｔｅｒｗｅａｖｅ（登録商標）４０４を含む。しかしながら、この特定の材料のここでの同定は、なんらかの方法に本発明の範囲を限定する意図ではなく、多くのいくらか似た透水性の材料を内張アセンブリ５２２の第１の支持層５３８に用いることができる。ある実施例において、第１の支持層５３８は基部５１８上に配置され、ピンで留める、くぎで留める、接着される、又はそうでなければバンカー５１０の空洞１３（図１に示す）内の基部５１８上の適所に保持される。代替的に、第１の支持層５３８は、第１の支持層５３８を適所に保持する何らかの種類の留め具を使用せずに、空洞１３内へ置いてあるだけである。
【００３４】
図５に示した保持層５２９は、バンカー５１０の空洞１３全体を覆わず、バンカー５１０の周辺部５１２近くにだけ配置されている、すなわち、充填材５１６の一部を支持するだけであるが、保持層５２９は、バンカー５１０の空洞１３内に連続的な手段で、および／または周辺部５１２から離れた領域に均等に配置することができると理解される。
【００３５】
図６は、バンカー６１０の一部の別の実施例の断面図を示す。本実施例において、内張アセンブリ６２２は、保持層６２９と、第１の支持層６３８と、第２の支持層６４０とを具える。内張アセンブリ６２２の一実施例に従って、第１の支持層６３８が、基部６１８と第２の支持層６４０の間に配置されるように、第２の支持層６４０は、第１の支持層６３８に固定された実質的に不透水性の材料で作られる。代替の実施例において（図示せず）、１又はそれ以上の追加の層（図示せず）が第１の支持層６３８と第２の支持層６４０の間に直接配置することができるように第２の支持層６４０は、第１の支持層６３８に間接的に固定される。
【００３６】
第２の支持層６４０は、第１の支持層６３８に液体として継ぎ目無く適用することができる。例えば、第２の支持層６４０は、圧縮スプレー装置又は他の同様の種類のスプレー装置、ブラシ、もしくはローラを用いて、あるいは非排他的な例として、適所に注入するか流し込むことによって第１の支持層６３８上へ噴霧することができる。この方法において、継ぎ目のない内張アセンブリ６２２を形成するために第２の支持層６４０が硬化すると、第２の支持層６４０は第１の支持層６３８に接着することができる。別の言い方をすると、第１の支持層６３８は、第２の支持層６４０が十分に結合できる基部層として機能することができる。第１の層及び第２の層のより完全な開示は、Ｋｅｖｉｎ Ｌ． Ｃｌａｒｋによって出願された表題 「ＭＵＬＴＩ−ＬＡＹＥＲ ＬＩＮＥＲ ＡＳＳＥＭＢＬＹ ＦＯＲ Ａ ＳＡＮＤ ＴＲＡＰ」米国特許出願シリアルナンバー１１／１８８，９３８を有する同時係属の米国特許出願によって理解することができる。許される範囲で、米国特許出願シリアルナンバー１１／１８８，９３８がここに参照によって組み込まれる。
【００３７】
さらに、図９に示した保持層６２９は、バンカー６１０の空洞１３（図１に示す）を完全に覆わず、バンカー６１０の周辺部６１２の近くのみに配置されている、すなわち、充填材６１６の一部を支持しているだけであるが、保持層６２９はバンカー６１０の空洞１３内に連続的な手段で、および／または周辺部６１２から離れた領域に均等に配置することができると理解されることを述べている。
【００３８】
ここに図示して開示するように特定のバンカー１０及び内張アセンブリ２２２は十分に目的を果たし、ここに前述した利点を提供することができるが、これらは、本発明の好適な実施例のほんの説明にすぎず、ここに示し、記述した方法、構造、又は構成の詳細を限定する意図ではないことを理解するべきである。
【図１】
0005437795.tif 000002
【図２】
0005437795.tif 000003
【図３Ａ】
0005437795.tif 000004
【図３Ｂ】
0005437795.tif 000005
【図４】
0005437795.tif 000006
【図５】
0005437795.tif 000007
【図６】
0005437795.tif 000008